(57)【要約】【課題】光通過用貫通孔の中心が、レーザ光出射軸に一致し、かつ光学的基準面の位置となる光通過用貫通孔の上端が光コネクタのフェルールの先端に整合するように位置決めしながら調芯作業を行う光モジュール製造方法を提供する。【解決手段】光モジュール製造方法は、スリーブを備える光モジュールの製造方法であって、前記スリーブに前記光モジュール外部から、フランジを備える光コネクタに付随するフェルールを挿入し、前記フランジに重りを載せ、前記フェルールの先端を前記スリーブ内に想定される光学的基準面に保持する。前記重りは磁石とし、前記スリーブは磁性材料で形成する。【選択図】図４
2008129496.tif 000002
【特許請求の範囲】
【請求項１】
スリーブを備える光モジュールの製造方法であって、前記スリーブに前記光モジュール外部から、フランジを備える光コネクタに付随するフェルールを挿入し、  前記フランジに重りを載せ、前記フェルールの先端を前記スリーブ内に想定される光学的基準面に保持する、ことを特徴とする光モジュールの製造方法。
【請求項２】
前記光モジュールは前記スリーブ内にスタブを備え、前記光学的基準面を前記スタブの光コネクタ側の先端とすることを特徴とする請求項１に記載の光モジュールの製造方法。
【請求項３】
前記重りを磁石とし、前記スリーブを磁性材料で形成したことを特徴とする請求項１又は２に記載の光モジュールの製造方法。
【請求項４】
前記重りは前記スリーブの軸方向に貫通孔と該貫通孔に連設されたスリットを有し、前記光コネクタが有する光ファイバを前記スリットから前記貫通孔内に挿入することを特徴とする請求項１〜３のいずれか１項に記載の光モジュールの製造方法。
【請求項５】
前記重りは、前記フランジに当接するテーパー部を有することを特徴とする請求項１〜４のいずれか１項に記載の光モジュールの製造方法。
【発明の詳細な説明】
【技術分野】
【０００１】
本発明は、モニタ用の光出力を最適に保持した状態で組み立てる光モジュール製造方法に関する。
【背景技術】
【０００２】
光ファイバを伝送路とする光モジュールの製造時、調芯を行いながら組み立てる方法は種々提案されている。例えば、調芯のために金属スリーブを爪状の治具で押さえ、金属スリーブと光モジュールとの溶接固定を安定化させる製造方法（特許文献１、２参照）、レーザーチップを光ファイバの光軸からずらして設け、レーザーチップに反射する光を防ぎ調芯作業を容易にする製造方法（特許文献３参照）、発光素子と光ファイバとの光軸方向の間隔を調節して調芯し結合効率を向上させる製造方法（特許文献４参照）等がある。また、例えば、特許文献５には、ステムスリーブの上面壁に光ファイバフェルールの端面を接触させて、光軸と直角方向に微動させ光軸合わせを行い組立精度の向上を図る組立方法が示されている。
【０００３】
図７は前記特許文献５に開示の光モジュールの構成図である。
この光モジュールでは、図７（Ａ）に示すように、ステムスリーブ５０とセラミック筒５１ａを備えたフェルールホルダ５１ｂとを製造する際、フェルールホルダ５１ｂに光コネクタ５２の光ファイバフェルール５２ａを挿入し、光ファイバフェルール５２ａの先端をステムスリーブ５０の上面壁５０ａに設けた光通過用貫通孔５０ｂの上端の光学的基準面５３に接触させた状態で光軸合わせを行う。
【０００４】
このとき、最大の光結合が得られるように、ステムスリーブ５０の上面壁５０ａに対するフェルールホルダ５１ｂの位置調整を行なう。このステムスリーブ５０は、上面壁５０ａに形成した光通過用貫通孔５０ｂの中心が、レーザ光出射軸に一致し、かつ光通過用貫通孔５０ｂの上端が光学的基準面に一致するようにステム５５に対して溶接固定されている。また、図７（Ｂ）に示すように、フェルールホルダ５６の内部には、光コネクタ５２の光ファイバフェルール５２ａ（図示省略）を挿入した際に、光ファイバフェルール５２ａの先端が当接する光学的基準面となる止まり部５７が形成されている。
【０００５】
また、特許文献６には、フェルールホルダ内にスタブを備える光モジュールが開示されている。図８は、前記特許文献６に開示の光モジュールの構成図である。
この調芯対象の光軸は、ステム５５のサイド面５５ａにチップキャリア５８を介して設けたＬＤ（Ｌａｓｅｒ  Ｄｉｏｄｅ）５９と、ステム５５上にレンズキャップ６０を介して保持されるレンズ６１により構成される。ところで、この光軸に係わる構成について、ＬＤ５９とレンズ６１が直線上に真っ直ぐ実装されて光ファイバに結合すると、ファイバ端面からの反射光がＬＤ５９に戻り、出力が変動する不具合が起こることがある。
【０００６】
また、反射を防止する為、スタブ６２のＬＤ側の端面に角度を設けているが、その角度の影響でスタブ中央の結合ファイバ６３の光軸に真っ直ぐ入射した光がスタブ６２を伝搬する際に、干渉が起こり、光結合が落ちることがある。この光結合が変動すると、光結合の出力をモニタしながら正しく調芯を行うことが困難になる。
このため、ＬＤ５９とレンズ６１の実装位置を結合ファイバ６３の光軸に対してオフセットを施し、光を結合ファイバ６１の端面に対し斜めからファイバに入射するようにしている（スタブ端面が光軸に対してそもそも角度を有しているので、オフセットを施すことでさらに入射角が大きくなる）。
【０００７】
このとき、スタブ６２はスリーブ組立体６４中に保持されている。スリーブ組立体６４は、スリーブ６５、ブッシュ６６、及びカバー６７を有し、スリーブ組立体６４の内部根元部にスタブ６２が保持される。スリーブ組立体６４と、ＬＤ５９を搭載する光デバイス（ステム５５、ＬＤ５９、レンズキャップ６０、レンズ６１からなる）との間の光学的調芯方法は２通りある。
【０００８】
１つは、光軸に平行な方向（Ｚ方向）について、スリーブ組立体と光デバイスの両者の間に介在させるＪ−スリーブ（Ｊｏｉｎｔ−Ｓｌｅｅｖｅ）６８を、レンズキャップ６０の外周に沿ってスライドさせることで行う。
もう１つは、光軸に垂直な２方向（ＸＹ方向）について、スリーブ組立体６４をＪ−スリーブ６８の端面上でスライドさせることにより行う。
【０００９】
このスリーブ組立体６８と光デバイスの調芯時には、光コネクタにおける光ファイバ（図示省略）を挿通保持したフェルール（図示省略）をスリーブ６５に挿入し、そのフェルール先端をスタブ６２の先端と物理的に接触させる（Ｐｈｙｓｉｃａｌ  Ｃｏｎｔａｃｔ）。そして、ＬＤ５９に実際に電流を流してＬＤ５９を発光させ、その光をフェルール内の光ファイバに集光し、この光ファイバの他端に接続されたパワーモニター計（図示省略）で光出力を観測しながら位置合わせを行う。
所定の光結合状態が得られたならば、その位置で光デバイスとJ-スリーブ６８、J-スリーブ６８とスリーブ組立体相互をＹＡＧ溶接により固定する。
【特許文献１】特開平０９−００５５８５号公報
【特許文献２】実開平０５−０１８７８５号公報
【特許文献３】特開平１０−０９６８３９号公報
【特許文献４】特開２００５−０１０２１１号公報
【特許文献５】特開平０７−３３５９８４号公報
【特許文献６】特開２００５−１０２１６号公報
【発明の開示】
【発明が解決しようとする課題】
【００１０】
図７に示されるスタブ無しの光モジュールの場合は、光ファイバフェルール５２ａをスリーブとなるフェルールホルダ５１ｂに挿入し、中央に保持された光ファイバに直接光結合させて出力を得る。
しかし、このとき、プラグフェルール５２ａの先端がスリーブとなるフェルールホルダ５１ｂ内の光学的基準面５３の位置より浮く（プラグフェルール５２ａの先端がＬＤに対してより離間した位置に動く）と、光出力安定性、特にウイグル（Ｗｉｇｇｌｅ）特性が悪化する。
【００１１】
また、図８においては、光コネクタを用いた調芯工程時に、本来物理接触しているべきフェルールの先端と光学的基準面を形成するスタブ６２の先端が実際にはＰＣ状態（物理的接触状態）に無い場合があり、これが原因となって、調芯時にフレネル反射が起こり、光パワーが安定しないことがある。
【００１２】
Ｗｉｇｇｌｅ特性は、ファイバコア端面と当該端面での光ビームの断面積の関係に依存する。光ファイバがゆすられてファイバ端面がビーム位置に対して相対的に移動し、コアに入射する光量（ビーム断面とコア断面との重なり部分に依存）が変化することでＷｉｇｇｌｅ特性が悪化する。
なお、ビーム径を絞ってコア断面よりも小さくし、かつ、光ファイバをゆすってもビームがコア断面から外れなければＷｉｇｇｌｅ特性の劣化は少ない。
【００１３】
プラグフェルール５２ａをフェルールホルダ５１ｂに挿入し、光結合を調整した後であっても、その状態でプラグフェルール５２ａに繋がる光ファイバをゆする（ぶらぶらさせる：Ｗｉｇｇｌｅの原義）と、光結合効率がこのぶらぶらに共鳴して変動する。この変動現象を伴わずにこれらを安定に製造するには、常にプラグフェルール５２ａの先端がフェルールホルダ５１ｂの光学的基準面の位置に整合する必要がある。
プラグフェルール５２ａは浮いたまま実装されると、本来整合する光学的基準面より上方の離れた位置で光結合するため、本来の最高光出力がでない。
【００１４】
更に、実装位置が光学的基準面と異なることにより、規定の位置にきちんと挿入されていないことになるため、Ｗｉｇｇｌｅ特性が悪くなる。このことは、ＬＤとレンズの実装位置にも関連する。
光コネクタを用いた調芯作業時に、本来物理接触しているべき組立用ファイバの先端と光学的基準面を構成するスタブの先端が実際にはＰＣ状態に無い場合があり、これが原因となって、調芯時にフレネル反射が起こり、光パワーが安定しない問題が発生する。
【００１５】
更に、レセプタクルタイプの場合には、光コネクタ端に対してレンズ、ＬＤがそれぞれファイバの光軸に対してオフセットされる。そのため、光がこの光コネクタ端に斜めに入射する際に、入射端位置（結合ポイント）がずれて、トレランスカーブの頂点で実装できなくなる。これにより、Ｗｉｇｇｌｅ特性まで劣化してしまう。
これは、フェルールを光軸方向（Ｚ方向）に変位させた際、図９に示すトレランス（許容値）カーブの頂点がずれていることに起因する。それぞれ光軸方向に変異させたトレランスカーブの頂点を結ぶと線Ｔとなり分かる。
【００１６】
図９は、上記オフセット量を０から４００μｍまで５０μｍ毎にとり、光コネクタをスリーブに対し光軸方向（Ｚ方向）に変位させたときの光出力特性を示したグラフである。また、図７に示されるようなスリーブ内にスタブを有しない構造の場合には、溶接時に調芯ずれが発生し易い。このため、フェルールに対し光軸と垂直方向に懸かる荷重に対する挿入損失変動、反射減衰量変動の特性、即ち、ウイグル（Ｗｉｇｇｌｅ）特性が悪くなる。
【００１７】
本発明の目的は、上記問題点に鑑み、光通過用貫通孔の中心が、レーザ光出射軸に一致し、かつ光学的基準面の位置となる光通過用貫通孔の上端が光コネクタのフェルールの先端に整合するように位置決めしながら調芯作業を行う光モジュール製造方法を提供することにある。
【課題を解決するための手段】
【００１８】
本発明の光モジュール製造方法は、スリーブを備える光モジュールの製造方法であって、  前記スリーブに前記光モジュール外部から、フランジを備える光コネクタに付随するフェルールを挿入し、前記フランジに重りを載せ、前記フェルールの先端を前記スリーブ内に想定される光学的基準面に保持する。
なお、スリーブ内にスタブを備える場合は、光学的基準面の位置はスタブの光コネクタ側の先端とする。また、想定される光学的基準面は、スリーブの構成に応じて決まることとなる。
【００１９】
また、前記の重りを磁石とし、スリーブを磁性材料で形成とする。
さらに、前記の重りは、フランジに当接する側にテーパー部を形成し、軸方向に貫通孔と該貫通孔に連設されたスリットを設けたものとし、光コネクタの光ファイバ部分をスリットから貫通孔内に挿入する。
【発明の効果】
【００２０】
本発明によれば、重りにより、光ファイバを保持したフェルールの先端を、スリーブ内の光学的基準面の位置に整合した状態を維持するので、光結合を正常に構成することができる。これにより光出力を一定且つ正常に確保することができ、さらに、調芯時にフレネル反射の発生を抑制でき、光出力を安定に保った状態で光モジュールを組立・製造を行うことができる。
また、上記のようにフェルールの先端を、スリーブ内の光学的基準面の位置に整合した状態を維持するので、Ｗｉｇｇｌｅ特性を良好な状態に維持することができる。
【００２１】
重りを磁石とし、対向するスリーブを磁性材料で形成とすることにより、重りの重力以外に磁力による磁気吸引力の作用によって、前記整合状態を強固に維持することができる。この結果、製造過程でのモニタリングの精度を高めることができる。
重りは軸方向に貫通孔と該貫通孔に連設されたスリットを設けたものとし、光ファイバをスリットから貫通孔内に挿入するようにしたので、重りの光コネクタへの装着が容易となり、効率的な光モジュールの製造ができるようになる。
重りは、フランジに当接する側にテーパー部を形成したので、スリーブ把持の作業を容易にし、荷重のかかり方を均等にすることができる。
【発明を実施するための最良の形態】
【００２２】
本発明の実施形態を図に基づいて詳細に説明する。
図１は本発明の光モジュール組立方法に用いる光コネクタの一般的な構成図である。この光コネクタをここでは「組立ファイバ」と言うものとする。この組立ファイバ１は、光ファイバ１ａと、この光ファイバ１ａを中心に保持するフェルール１ｂと、このフェルール１ｂを把持するように設けたフランジ１ｃとからなる。フランジ１ｃは鍔部１ｄを有する。この鍔部１ｄは光ファイバ１ａおよびフェルール１ｂに直交する向きの面を有する。フェルール１ｂの先端１ｅはスリーブの光学的基準面と当接される。この鍔部１ｄの段部１ｆには、後述する重りが載置される。  
【００２３】
図２は光コネクタのフェルールを受けたスリーブをスリーブチャックで把持した状態を示す図である。スリーブ２は既に組立が終わった光デバイス収納体（例えば、ステム上に設けられた発光素子やレンズ等を収納するステムスリーブ等）４上に載置され、スリーブチャック５で把持され、位置調整される。
本発明の光モジュールは、組立ファイバ１のフェルール１ｂを受ける開口２ａを構成するスリーブ２を備える。スリーブ２は前記開口２ａを形成するためにスタブを備えないものと備えるものがある。
【００２４】
スタブを含めたスリーブの構成は前記開口２ａを画成する一体の構造物として認識し、光ファイバ１ａを保持したフェルール１ｂの先端１ｄと、この先端１ｄが整合（当接、突き合わせ等）する光モジュールのスリーブ２内の底部２ｂ上面の光学的基準面２ｃの位置を基準として位置合わせを行う。スリーブ２は、凹状の開口２ａを形成するために、側壁部２ｄ、底部２ｂ、開孔２ｅからなる。以下、スタブを備えない例と備える例について説明する。
【００２５】
図２はスタブを備えない例であるが、考え方としてはスタブを有する場合も同じである。スリーブを位置決め組立するとき、既に組み立てた光デバイス収納体４の上に、組立ファイバ１を所定位置に組み込んだスリーブ２を載置し、このスリーブ２をスリーブチャック５により把持し、光結合を介した光出力をモニタリングしながら、左右に微動させて調芯する。
このスリーブ２は、図７（Ａ）で説明したように、セラミック筒５１ａを備えたフェルールホルダ５１ｂと、ステムスリーブ５０の上面壁５０ａが相当し、同じく、図７（Ｂ）に示すように、フェルールホルダ５６と、止まり部５７が相当する。
【００２６】
組立ファイバ１のフェルール１ｂの先端１ｅは、図７（Ａ）の光ファイバフェルール５２ａの先端面が相当する。
フェルール１ｂの先端１ｅが当接する光モジュール内の光学的基準面の位置は、図７（Ａ）に示すステムスリーブ５０の上面壁５０ａに形成した光通過用貫通孔の上端が相当し、図７（Ｂ）ｎｉ示す光学的基準面となる光ファイバフェルールの止まり部５７が相当する。
また、スリーブ２の開孔２ａは、図７（Ａ）に示すセラミック筒５１ａを備えたフェルールホルダ５１ｂと、ステムスリーブ５０の上面壁５０ａにより画成される開口が相当し、同じく図７（Ｂ）に示すフェルールホルダ５６と、止まり部５７により画成される開孔が相当する。
【００２７】
図３はスリーブと組立ファイバの挿入状況を示す図であり、図３（Ａ）は組立ファイバがスリーブの開口の奥の光学的基準面の位置であって両者が当接する位置まで挿入された状態を示す図、図３（Ｂ）は組立ファイバがスリーブの開口の奥の光学的基準面の位置まで挿入されていない状態を示す図である。
【００２８】
従来、光結合の出力をモニターしながら光モジュールの組立を行うときには、図３（Ａ）に示すように、組立ファイバ１におけるフェルール１ｂの先端１ｅがスリーブ２の開口２ａの奥の光学的基準面２ｃの位置に整合（当接（ＰＣ（Physical Contact：物理接触））した状態で光結合の出力をモニターしながら調芯を行い組み立てている。
この場合、一度組立ファイバ１の先端１ａをスリーブ２の光学的基準面２ｃの位置に整合したならば、調芯・組立工程が完了するまでこの整合状態が有効に機能することを前提としている。
【００２９】
しかし、一度はスリーブ奥端にまで押し込んだはずのフェルール１ｂが、調芯時にだんだんとスリーブ２の光学的基準面２ｃの位置から離れて浮いてしまうことがある。これは、調芯時の細かいＸＹ及びＺ方向の動きに、フェルールが追随出来ないことが原因となっている。
また、フェルール１ｂが浮くことにより当初の光結合効率（発光素子からの光出力に対する光ファイバ端の出力の比率等）が変動する。このため、調芯作業時、正確なモニタリングができなくなるという問題も副次的に発生している。
【００３０】
なお、スリーブ内にスタブを備える光モジュールの例では、図２および図３に示すスリーブ２は、図８で説明したスタブ６２、第１のスリーブ６６、第２のスリーブ６５、第３のスリーブ６７が相当し、開口２ａに、スタブ６２、第２のスリーブ６５、第３のスリーブ６７で形成される開口が相当し、底部２ｂに、スタブ６２の先端が相当する。
そうとすると、光コネクタ１のフェルール１ｂの先端が整合する光モジュールにおけるスリーブ２の光学的基準面２ｃの位置は、開口２ａの底部２ｂに相当するスタブ６２の先端となる。
【００３１】
本発明の光モジュールの製造方法は、組立ファイバのフェルールの先端をスリーブ内の光学的基準面の位置に整合させるように配置した状態を保ちながら、モニタリングにより光結合出力を検出して調芯し組み立てることを前提とする。
このとき、（１）重りの重力により組立ファイバをスリーブ内に押し込み、その状態を保持し、組立ファイバの光学的基準面をスリーブ内の規定位置に整合させて保持する。（２）前記おもりを磁石で構成し、重力と磁力により同じく整合させて保持することに特徴を有する。なお、組立ファイバを構成するフランジを、既存のものよりも比重の大きい物質で形成する手段とすることもできる。
【実施例１】
【００３２】
重りにより組立ファイバに荷重を加えて常に組立ファイバの先端の光学的基準面がスリーブの規定位置（結合ポイント）に整合し保持できるようにする。図４は本発明で用いる重りの一例を示す図である。図４（Ａ）は重りを組立ファイバへ載置した状態の斜視図、図４（Ｂ）は重りと組立ファイバの分解図、図４（Ｃ）は図４（Ａ）の側面図である。
フェルール１ｂの長さは、スリーブの側壁部の長さ（例えば、図７において、スタブ６２の端面からスリーブカバー６７の先端までの長さ）よりも長く設定される（そうしないと、フランジ１ｃの鍔部１ｄがスリーブカバー６７の先端に接触し、荷重がかからない）。
【００３３】
重り３は、長さ方向の貫通孔３ａから半径方向へスリット３ｂを設けた中空円筒体で構成する。重り３の組立ファイバ側は平坦面３ｃに形成されている。重り３は、スリット３ｂから貫通孔３ａに光ファイバ１ａを挿通し、フランジ１ｃの鍔部１ｄの段部１ｆに重り３の平坦面３ｃを載置することにより装着される。貫通孔３ａの内径は、重り３の平坦面３ｃがフランジ１ｃの段部１ｆに載るように形成する。なお、重り３の形状は中空円筒以外の形状でもよい。
【００３４】
図５は本発明の組立ファイバに当接する側にテーパー部を設けた重りの実施例である。
重り３には、図５に示されるように、組立ファイバ１の鍔部１ｄの段部１ｆに当接する側にテーパー部３ｄを設け、スリーブチャックとの干渉を防止するようにしてもよい。テーパー部３ｄは、フランジ１ｃの段部１ｆと当接する端面と、外周に形成され端面に向かって半径方向の径が小さくなるテーパー面を有する。テーパーの角度は任意に設定できる。
【００３５】
以上、説明したように、組立ファイバ１のフランジ１ｃは、重り３を載置する段部１ｆを有し、この段部１ｆの平面により重り３を支持する。具体的な荷重は、組立ファイバ１の形状によるが、一般的には、例えば、２０〜２００ｇの範囲とする。２０ｇ程度の場合、フェルール１ｂの外径とスリーブ２の内径との差は２μｍ程度必要だが、フェルール１ｂの先端をスリーブの開口を画成する底部に当接できる限界レベルである。２００ｇの場合、フェルール１ｂの中心へ均等に重り３の荷重が掛かる工夫が必要で、これ以上の重さになると組立ファイバのバランスが取りづらくなる。
【実施例２】
【００３６】
実施例２は、実施例１の重り（荷重）を比較的強力な磁石で構成し、スリーブを磁性材料で形成した例である。このように構成することにより、磁性材料製のスリーブを磁石の重りにより磁気的に吸引する。この結果、相対的に組立ファイバのフェルールが磁性材の金属スリーブの開孔内に奥まで強制的に挿入され、組立ファイバの先端が磁性材料製のスリーブ内の光学的基準面の位置に整合される。
【００３７】
図６に本発明の磁石の重りを用い、強制的にフェルールを磁性材の金スリーブの開孔内に奥まで挿入する過程を示す。仮に、図６（Ａ）の状態になったとしても、重り３の重力と磁石の磁気吸引力により図６（Ｂ）の組立ファイバの先端１ｅが磁性材料製のスリーブ２内の光学的基準面２ｃの位置に整合される。この場合、荷重は２０ｇ程度でも良い。この時挿入されるフェルールの材質はジルコニアで、スリーブの材質は任意の磁性材料とする。
【実施例３】
【００３８】
他の実施例として、組立ファイバのうち、光ファイバを保持するフェルールを除き、残りのフランジを上記問題の位置ずれが発生したときのものより比重の大きい物質、例えば、タングステン（Ｗ）等で形成することもできる。これにより、従来の構成部品に重りの機能を追加することができる。
【００３９】
次に、本発明の光モジュールの調芯の手順を図８のスタブを備えた例で説明する。
（ａ）光デバイス収納体（搭載部材＋半導体発光素子５９＋ハウジング６０）を、レンズ６１を上方に向け所定の治具（図示省略）上にセットする。
治具は、ステム５５の鍔がストッパとなる様な開口（図示省略）を有するもので、当該開口中にステム５５のリードピンを落としこむ。開口奥にリードピンと接続するコネクタを有していてもよい。
【００４０】
（ｂ）ハウジング６０にＪ−スリーブ６８を被せ、Ｊ−スリーブ６８上にスリーブ組立体（光レセプタクル６４＝スタブ６２＋第１のスリーブ６６＋第２のスリーブ６５＋第３のスリーブ６７）をセットする。
（ｃ）スリーブ６５内に図１に示す組立ファイバ１のフェルール１ｂを挿入し、その先端をスタブ６２の先端に現れる結合ファイバ６３の先端と物理接触させる。このスタブ６２の先端に現れる結合ファイバ６３の先端が光学的基準面の位置になる。
【００４１】
この状態で、重りを装着する。即ち、図１に示す組立ファイバ１におけるフランジ１ｃの鍔部１ｄに、光ファイバ１ａを図４のスリット３ｂに挿通した重り３を載置する。
又は、磁石でできた重り３を、磁性材でできたスリーブ２内に挿入されているフェルール１ｂに設けたフランジ１ｃの鍔部１ｄに同じく載置する。
これにより、フェルール１ｂの先端がスリーブ２の開口２ａにおけるスタブ先端の光学的基準面の位置に保持される。
【００４２】
スリーブと組み立てファイバの結合の様子は図３に示される通りである。
（ｄ）治具の開口に覗いている光デバイスのリードピンから電流（信号）を供給して、実際にＬＤを発光させる。このとき、組み立てファイバの他端（スリーブに係合していない端）は光パワーメータ（図示省略）に接続されていて、ＬＤの発光強度をこのパワーメータで観測する。
（ｅ）Ｊ−スリーブ６８をハウジング６０上で光軸方向にスライドし、所定の（最大）光強度となる位置を決定する。  
【００４３】
（ｆ）スリーブ組立体６４をＪ−スリーブ６８上でＸＹ方向にスライドさせ所定の（最大）光強度が得られる相対位置を決定する。この時、通常は、得られた光強度は所定値を上回る。そこで、Ｊ−スリーブ６８を再度ハウジング６０外周面上でスライドさせ、光強度を減ずる（デフォーカス）。
（ｇ）最終的に決定された位置で、Ｊ−スリーブ６８とハウジング６０外周面、およびスリーブ組立体（スリーブカバー６７）とＪ−スリーブ６８端面との間をＹＡＧ−溶接して部品を固定する。
【００４４】
スタブを備えない光モジュールの場合にも、同様の手順を実行することにより、光モジュールを調芯しながら組立製造することができる。なお、上記重りを装着する手順を上記手順（ｅ）又は手順（ｆ）で実行するようにしてもよい。また、重りが適切でない場合には、任意の手順のタイミングで、スリットを利用して光ファイバから不適切の重りをはずし、適切な重りを同じくスリットを利用して装着することができる。
【図面の簡単な説明】
【００４５】
【図１】本発明の光モジュール組立方法に用いる光コネクタの１例を示す図である
【図２】光コネクタのフェルールを挿入位置決めした光モジュールのスリーブをスリーブチャックで把持した状態を示す図である。
【図３】スリーブに光コネクタを挿入した状態を示す図である。
【図４】本発明の重りを用いた実施例を説明する図である。
【図５】本発明のテーパー部を設けた重りの１例を説明する図である。
【図６】本発明の磁石の重りを用いる実施例を説明する図である。
【図７】従来技術を説明する光モジュールの１例を示す図である。
【図８】従来技術を説明するスタブを備える光モジュールの１例を示す図である。
【図９】光軸方向に調節したときのトレランス特性を示す図である。
【符号の説明】
【００４６】
１…組立ファイバ、１ａ…光ファイバ、１ｂ…フェルール、１ｃ…フランジ、１ｄ…鍔部、１ｅ…先端、１ｆ…段部、２…スリーブ、２ａ…開口、２ｂ…底部、２ｃ…光学的基準面、２ｄ…側壁部、２ｅ…開孔、３…重り、３ａ…貫通孔、３ｂ…スリット、３ｃ…平坦面、３ｄ…テーパー部。
【図１】
2008129496.tif 000003
【図２】
2008129496.tif 000004
【図３】
2008129496.tif 000005
【図４】
2008129496.tif 000006
【図５】
2008129496.tif 000007
【図６】
2008129496.tif 000008
【図７】
2008129496.tif 000009
【図８】
2008129496.tif 000010
【図９】
2008129496.tif 000011